(57)【要約】【課題】小さい歯車であるにもかかわらず比較的容易に製造可能であり噛合いのバックラッシュを最低限に抑え得る腕時計用歯車機構、該歯車機構を備えたカレンダ機構及びこれを備えたアナログ式時計を提供すること。【解決手段】アナログ式時計２のカレンダ機構１の腕時計用歯車機構８は、相互に噛合する扇形の第一及び第二歯車９５，７を有する。第二歯車７が歯板１６の一方の表面側にあって小径円弧状部を備えた第二歯車本体部６０と、歯板に対面する側とは反対側において該第二歯車本体部に固定され大径板状部と、歯板と大径板状部との間で且つ第二歯車本体部の小径円弧状部と第二歯車歯部との間に配置された弧状の弾性手段８０であって、弧の内周面で第二歯車本体部の小径円弧状部に係合し弧の外周面で第二歯車歯部の円弧の内周面を径方向外向きに押して第二歯車歯部の歯を第一歯車の歯と噛合させるもの８０とを有する。【選択図】図２
2011064598.tif 000002
【特許請求の範囲】
【請求項１】
相互に噛合する扇形の第一及び第二歯車を有する腕時計用歯車機構であって、第二歯車が、
歯板の一方の表面側において該第二歯車の回転中心軸線の近傍に位置し小径円弧状部を備えた第二歯車本体部と、
前記歯板に対面する側とは反対側において該第二歯車本体部に固定され該第本体部よりも大径の大径板状部と、
該大径板状部と前記歯板との間に位置する円弧状板状体からなる第二歯車歯部であって、円弧の外周面に第二歯車の歯をなす複数の歯を備えたものと、
前記歯板と前記大径板状部との間で且つ第二歯車本体部の小径円弧状部と第二歯車歯部との間に配置された弧状の弾性手段であって、弧の内周面で第二歯車本体部の小径円弧状部に係合し弧の外周面で第二歯車歯部の円弧の内周面を径方向外向きに押して第二歯車歯部の歯を第一歯車の歯と噛合させるものとを有する腕時計用歯車機構。
【請求項２】
前記弾性手段が全体として弧状の板ばねであって、弧の一部において第二歯車本体部の小径円弧状部に係合し弧の外周面の一部において第二歯車歯部の円弧の内周面を径方向外向きに押して第二歯車歯部の歯を第一歯車の歯と噛合させるものからなる請求項１に記載の腕時計用歯車機構。
【請求項３】
前記大径板状部が周方向に間隔をおいて複数の被係合部を備え、
前記第二歯車歯部が前記大径板状部に対面する側に周方向に間隔をおいて複数の係合部を備え、該係合部で大径板状部の被係合部に対して径方向に変位可能に係合されている請求項１又は２に記載の腕時計用歯車機構。
【請求項４】
大径板状部の被係合部及び第二歯車歯部の係合部のうちの一方が、径方向に延びた長穴からなり、他方が該長穴に遊嵌されるピン状突起部からなる請求項３に記載の腕時計用歯車機構。
【請求項５】
第二歯車歯部を構成する円弧状板状体は弾性変形によって円弧の湾曲状態が変化され得るように構成された請求項１から４までのいずれか一つの項に記載の腕時計用歯車機構。
【請求項６】
第二歯車歯部は、歯の背後に開口部を備える請求項５に記載の腕時計用歯車機構。
【請求項７】
前記開口部が一つながりである外周が閉じられている請求項６に記載の腕時計用歯車機構。
【請求項８】
請求項１から７までのいずれか一つの項に記載の腕時計用歯車機構を備えたカレンダ機構であって、
該カレンダ機構は、
日付のうち一の位の日付を表示する全体として環状の第一日文字表示部、該第一日文字表示部の内周に形成されトルクを受ける環状の第一日車歯車部、及び第一日文字表示面部の背面側に形成され無端リング状のカム面を規定する駆動カム部を備え、第一の回転中心軸線のまわりで回転可能な第一日車と、
一端部がカム従節として駆動カム部に当接する従動レバー部及び該従動レバー部と一体的な作動レバー部であって先端部に第一の扇形歯車部を備えたものを具備し、前記一端部が駆動カム部のカム面に当接した状態で従動レバー部が回動される際に該従動レバー部の回動に応じて作動レバー部の第一の扇形歯車部が回動される駆動カムレバーと、
日付のうち十の位の日付を表示する第二日文字表示部、及び前記第一の扇形歯車部と噛合した第二の扇形歯車部を備え、第二の回転中心軸線のまわりで回転可能な第二日車と
を有し、
カレンダ機構の第二日車が前記第二歯車を含み、
カレンダ機構の駆動カムレバーの第一扇形歯車部が前記第一歯車からなる
カレンダ機構。
【請求項９】
前記第一及び第二の回転中心軸線が共通の回転中心軸線からなり、第二日車を該共通の回転中心軸線のまわりの一方の向きに偏倚させる弾性偏倚力を及ぼす弾性偏倚手段を有する請求項８に記載のカレンダ機構。
【請求項１０】
請求項１から７までのいずれか一つの項に記載の腕時計用歯車機構又は請求項８若しくは９に記載のカレンダ機構を備えたアナログ式時計。
【発明の詳細な説明】
【技術分野】
【０００１】
本発明は、腕時計用歯車機構、該歯車機構を備えたカレンダ機構及び腕時計用歯車機構又は該カレンダ機構を備えたアナログ式時計に係る。
【背景技術】
【０００２】
腕時計用歯車機構において、歯車の各種の誤差を考慮すると相互に噛合する歯車の一対の歯と歯との間に多少の隙間すなわちバックラッシュを設けることは避け難い。腕時計用歯車機構において、このバックラッシュを最低限に抑えるために、歯車を構成する各歯の輪郭形状が個別に弾性的に変形可能にすべく各歯毎にその外表面の内側に開口部（一種の切抜き部）を設けること、典型的には該開口部を歯車の外表面で開口させて変形をより容易にすることは、提案されている（特許文献１）。
【０００３】
しかしながら、この特許文献１に提案された歯車は、極めて精細なものになることから、腕時計用歯車機構を構成するためには、実際には、プラズマドライエッチングその他のマイクロリソグラフィのような技術によって作らざるを得ず、エンジニアリングプラスチックの成形その他によっては製造され難く、極めて高価なものになるのを避け難い。
【０００４】
アナログ式時計のカレンダ機構で、特に一の位の日付と十の位の日付とが別々の日車で表示され結果として日付を大きな文字で表示し得るいわゆるビッグデイトの形態のカレンダ機構は、知られている。
【０００５】
このビッグデイトの形態のカレンダ機構として、日付のうち一の位の日付を表示する全体として環状の第一日文字表示部、該第一日文字表示部の内周に形成されトルクを受ける環状の第一日車歯車部、及び第一日文字表示面部の背面側に形成され無端リング状のカム面を規定する駆動カム部を備えた第一日車と、一端部がカム従節として駆動カム部に当接する従動レバー部及び該従動レバー部と一体的な作動レバー部であって先端部に第一の扇形歯車部を備えたものを具備し、前記一端部が駆動カム部のカム面に当接した状態で従動レバー部が回動される際に該従動レバー部の回動に応じて作動レバー部の第一の扇形歯車部が回動される駆動カムレバーと、日付のうち十の位の日付を表示する第二日文字表示部、及び前記第一の扇形歯車部と噛合した第二の扇形歯車部を備えた第二日車とを有するカレンダ機構は、提案されている（例えば、特許文献２）。
【０００６】
この特許文献２に提案されているカレンダ機構では、第二日車を回転中心軸線のまわりで一方の向きに偏倚させる弾性偏倚力を及ぼす弾性偏倚手段を有する。
【０００７】
しかしながら、この特許文献２に提案されているカレンダ機構では、第一及び第二の扇形歯車部のバックラッシュが大きいと、第二日車の停止位置がずれ、第二日車により表示されるべき十の位の日（第二日文字）が日窓内で適切に位置決め・表示されない虞れがある。
【先行技術文献】
【特許文献】
【０００８】
【特許文献１】特開２００７−５１８９８１号公報
【特許文献２】特開２００７−２１８８５６号公報
【発明の概要】
【発明が解決しようとする課題】
【０００９】
本発明は、前記諸点に鑑みなされたものであって、その目的とするところは、小さい歯車であるにもかかわらず比較的容易に製造可能であり噛合いのバックラッシュを最低限に抑え得る腕時計用歯車機構、該歯車機構を備えたカレンダ機構及び腕時計用歯車機構又は該カレンダ機構を備えたアナログ式時計を提供することにある。
【課題を解決するための手段】
【００１０】
本発明の腕時計用歯車機構は、前記目的を達成すべく、相互に噛合する扇形の第一及び第二歯車を有する腕時計用歯車機構であって、第二歯車が、歯板の一方の表面側において該第二歯車の回転中心軸線の近傍に位置し小径円弧状部を備えた第二歯車本体部と、前記歯板に対面する側とは反対側において該第二歯車本体部に固定され該第本体部よりも大径の大径板状部と、該大径板状部と前記歯板との間に位置する円弧状板状体からなる第二歯車歯部であって、円弧の外周面に第二歯車の歯をなす複数の歯を備えたものと、前記歯板と前記大径板状部との間で且つ第二歯車本体部の小径円弧状部と第二歯車歯部との間に配置された弧状の弾性手段であって、弧の内周面で第二歯車本体部の小径円弧状部に係合し弧の外周面で第二歯車歯部の円弧の内周面を径方向外向きに押して第二歯車歯部の歯を第一歯車の歯と噛合させるものとを有する。
【００１１】
本発明の腕時計用歯車機構では、弧状の弾性手段が、円弧状板状体からなる第二歯車歯部を径方向外向きに弾性的に押して第二歯車歯部の歯を第一歯車の歯と噛合させるので、第一歯車の歯と第二歯車の歯とが相互に歯みぞを埋め合って第一歯車と第二歯車との噛合い部における無駄な間隙が低減され得、結果として歯面垂直方向のバックラッシュも低減され得る。なお、本発明の腕時計用歯車機構では、実際上、第二歯車歯部を構成する円弧状板状体を形成すればよいので、その製造が比較的容易である。
【００１２】
本発明の腕時計用歯車機構では、典型的には、前記弾性手段が全体として弧状の板ばねであって、弧の一部において第二歯車本体部の小径円弧状部に係合し弧の外周面の一部において第二歯車歯部の円弧の内周面を径方向外向きに押して第二歯車歯部の歯を第一歯車の歯と噛合させるものからなる。
【００１３】
その場合、狭いスペースで確実に弾性力を発揮し得る。但し、場合によっては、弾性手段が弾性材料の塊であってもよい。
【００１４】
本発明の腕時計用歯車機構では、典型的には、前記大径板状部が周方向に間隔をおいて複数の被係合部を備え、前記第二歯車歯部が前記大径板状部に対面する側に周方向に間隔をおいて複数の係合部を備え、該係合部で大径板状部の被係合部に対して径方向に変位可能に係合される。
【００１５】
その場合、第二歯車歯部は、係合部と被係合部との係合によって周方向変形が規制される一方で径方向の位置が可変なので、第二歯車歯部が安定に位置決めされ易く、被係合部に対して係合部が径方向に可動な範囲を被係合部の形状等で規制することによって第二歯車歯部が第一歯車部に圧接ないし過度に強く押付けられるのを避け得る。
【００１６】
本発明の腕時計用歯車機構では、典型的には、大径板状部の被係合部及び第二歯車歯部の係合部のうちの一方が、径方向に延びた長穴からなり、他方が該長穴に遊嵌されるピン状突起部からなる。
【００１７】
その場合、ピン状突起部すなわち度決めピンの径方向の可動範囲を長穴によって規定し得るから、単に長穴の位置や形状を所定に設定するだけで、第二歯車歯部が第一歯車部に圧接ないし過度に強く押付けられるのを確実に避け得る。ここで、典型的には、大径板状部の被係合部が長穴からなり、第二歯車歯部の係合部がピンからなる。但し、逆であってもよい。
【００１８】
本発明の腕時計用歯車機構では、典型的には、第二歯車歯部を構成する円弧状板状体は弾性変形によって円弧の湾曲状態が変化され得るように構成される。
【００１９】
その場合、第二歯車歯部を構成する円弧状板状体が弾性変形されることにより、一方では、第二歯車歯部を構成する歯と第一歯車部との噛合の周方向の隙間を最低限に抑えることが可能になるだけでなく、第二歯車歯部を構成する円弧状板状体の円弧の曲率半径を変更し得る。
【００２０】
ここで、前記の弧状の板ばねは、典型的には、弧の中間部において第二歯車本体部の小径円弧状部に係合し弧の外周面の両端部において第二歯車歯部の円弧の内周面を径方向外向きに押す。これにより、第二歯車歯部を構成する円弧状板状体を径方向外向きに押すだけでなく、円弧状板状体に対してその曲率半径を大きして第一及び第二歯車の噛合いを促す働きをする。
【００２１】
本発明の腕時計用歯車機構では、典型的には、第二歯車歯部は、歯の背後に開口部を備える。
【００２２】
その場合、上記の弾性変形が促され易く、歯の噛合い部における無駄な隙間が最低限に抑えられ得る。
【００２３】
本発明の腕時計用歯車機構では、典型的には、前記開口部が一つながりである外周が閉じられている。
【００２４】
その場合、製造が容易である。なお、開口部が一つながりであることによって第二歯車歯部の全体が変形し易い場合であっても、前述のように、大径板状部に周方向に間隔をおいて被係合部を設けると共に第二歯車歯部に該被係合部に係合する係合部を設けるときは、周方向の捩れが規制されて、径方向には大きく変形され易く周方向にはより少ない程度に変形可能な状態になるので、バックラッシュを最低限に抑えるのが容易になる。
【００２５】
本発明のカレンダ機構は、前記目的を達成すべく、典型的には、上述のような腕時計用歯車機構を備えたカレンダ機構であって、且つ該カレンダ機構は、日付のうち一の位の日付を表示する全体として環状の第一日文字表示部、該第一日文字表示部の内周に形成されトルクを受ける環状の第一日車歯車部、及び第一日文字表示面部の背面側に形成され無端リング状のカム面を規定する駆動カム部を備え、第一の回転中心軸線のまわりで回転可能な第一日車と、一端部がカム従節として駆動カム部に当接する従動レバー部及び該従動レバー部と一体的な作動レバー部であって先端部に第一の扇形歯車部を備えたものを具備し、前記一端部が駆動カム部のカム面に当接した状態で従動レバー部が回動される際に該従動レバー部の回動に応じて作動レバー部の第一の扇形歯車部が回動される駆動カムレバーと、日付のうち十の位の日付を表示する第二日文字表示部、及び前記第一の扇形歯車部と噛合した第二の扇形歯車部を備え、第二の回転中心軸線のまわりで回転可能な第二日車とを有し、カレンダ機構の第二日車が前記第二歯車を含み、カレンダ機構の駆動カムレバーの第一扇形歯車部が前記第一歯車からなる。
【００２６】
この場合、第二日車の回転位置のズレが最低限に抑えられて、第二日文字が所定の表示位置に正確に位置決めされ得る。
【００２７】
本発明のカレンダ機構では、典型的には、前記第一及び第二の回転中心軸線が共通の回転中心軸線からなり、第二日車を該共通の回転中心軸線のまわりの一方の向きに偏倚させる弾性偏倚力を及ぼす弾性偏倚手段を有する。
【００２８】
その場合、歯車のバックラッシュが更に低減され得る。
【００２９】
本発明のアナログ式時計は、前記目的を達成すべく、上述のような腕時計用歯車機構又は上述のようなカレンダ機構を備える。
【図面の簡単な説明】
【００３０】
【図１】本発明の好ましい一実施例の腕時計用歯車機構を有する本発明の好ましい一実施例のカレンダ機構を備えた本発明の好ましい一実施例のアナログ式時計について、該時計の本体部を文字板側から見た平面説明図。
【図２】図１のアナログ式時計のカレンダ機構を文字板側から見た平面説明図。
【図３】図２のカレンダ機構のうち駆動カムレバーの作動レバー部の歯車部と第二日車の日表示車の歯車部との噛合い部分を拡大して示した平面説明図。
【図４】図３の噛合い部分のうち一対の歯車部の一対の歯の噛合い状況を更に拡大して示した平面説明図。
【図５】図１のアナログ式時計の本体部を裏蓋側から見た背面説明図。
【図６】図１のアナログ式時計の本体部のうち、カレンダ機構の一部を示す断面説明図。
【図７】図１のアナログ式時計の文字板側から見た外観を示した平面説明図。
【図８】アナログ式時計のカレンダ機構において文字板の日窓に対する第二日車の位置合せ状況を示したもので、（ａ）は図１のアナログ式時計のカレンダ機構における文字板の日窓に対する第二日車の位置合せに関し、第二日車が所定位置に位置決めされた状態を示した平面説明図、（ｂ）は従来のアナログ式時計の従来のカレンダ機構における文字板の日窓に対する第二日車の位置合せ状況に関し、第二日車の位置のばらつきを示した平面説明図。
【発明を実施するための形態】
【００３１】
本発明の好ましい一実施の形態を添付図面に示した好ましい一実施例に基づいて説明する。
【実施例】
【００３２】
本発明の好ましい一実施例の腕時計用歯車機構８を有する本発明の好ましい一実施例のカレンダ機構１を備えた本発明の好ましい一実施例のアナログ式時計２は、概ね図５に示したような構造の時計本体ないしムーブメント３を有する。
【００３３】
アナログ式時計２は、図５からわかるように、中心軸線Ｃのまわりで回転自在な秒車１３を有すると共に、該秒車１３の文字板側に、分車１２及び時車１１を有する。時車１１、分車１２及び秒車１３の歯車は、日の裏車１４ａ，三番車１４ｂ及び五番車１４ｃの如き輪列１４を介して相互に噛合されている。なお、図７の文字板側の外観図からわかるように、アナログ式時計２は、中心軸線Ｃの周りで回転可能な時針１１ｄ，分針１２ｄ及び秒針１３ｄを有する。文字板５の日窓４には、一の位の日付及び十の位の日付が表示される。この図では、りゅうず６ａのところに巻真６がわずかに見えている。図２からわかるように、筒車（時車）１１は、日回し中間車１５を介して日回し車３１の日回し歯車３１ａを回す。図５において、１８は巻真６のＡ１，Ａ２方向の出入れに応じて回動される規制レバーである。
【００３４】
図５に示したような電子時計すなわちクォーツ式の時計である場合、アナログ式時計２は、電池２１から給電されて発振動作をする水晶振動子ないしこれを含む水晶缶２２及び時計用集積回路２３ａを含む回路ブロック２３や、輪列１４等を介して指針１１ｄ，１２ｄ，１３ｄ（図７）を回転させるモータ２４を有する。モータ２４は、ステータ２４ａ、コイルブロック２４ｂ及びロータ２４ｃを備える。２６は電池マイナス端子、２７は回路押え板である。
【００３５】
主として図２からわかるように、アナログ式時計２のカレンダ機構１は、第一日車４０と、第二日車７と、ばね負荷された駆動カムレバー９０とを有する。
【００３６】
第一日車４０は、第一の回転中心軸線としての中心軸線Ｃのまわりで回転可能に配置された環状体４１と、該環状体４１の厚さ方向にずれた位置において段差部を介して該環状体４１の内周縁につながった第一日車歯車部４２と、環状体４１の文字板５側の主面部からなる第一日文字表示面部４３と、環状体４１の裏蓋に面する主面側で且つ環状体４１の内周縁と第一日車歯車部４２との段差部のところにおいて該段差部の外周面に沿って形成された駆動カム部４４とを有する。
【００３７】
第一日車歯車部４２は、３１個の歯部４２ａを有し、中心軸線Ｃのまわりで回転される。第一日車４０の回転は、第一日車歯車部４２の隣接歯部４２ａ，４２ａ間において躍制動作する躍制爪部３６ａを備えた日ジャンパ３６によって規制される。
【００３８】
駆動カム部４４は、中心Ｃからの半径が最小の円弧に沿った第一カム円弧部４４ａと、中心Ｃからの半径が二番目に小さい円弧に沿った第二カム円弧部４４ｂと、中心Ｃからの半径が三番目に小さい円弧に沿った第三カム円弧部４４ｃと、中心Ｃからの半径が最大の円弧に沿った第四カム円弧部４４ｄとを有する。円弧部４４ａ，４４ｂ，４４ｃ，４４ｄは、夫々、概ね、全周のうちの９／３１，１０／３１，１０／３１，２／３１程度の大きさの角度範囲に沿って拡がり、夫々の間の領域は、傾斜した遷移領域４５ａ，４５ｂ，４５ｃを介してつながっている。なお、第四カム円弧部４４ｄと第一カム円弧部４４ａとの間には、概ね半径方向に延びる境界面ないし段差面４６が形成されている。
【００３９】
第一日車４０は、通常運針時には、時車ないし筒車１１の回転に応じて回転される日回し車３１の日回し爪３１ｂによって第一日車歯車部４２の歯部４２ａで係合されて、一日に一回、Ｃ２方向に３６０／３１度だけ回転される。なお、日修正の際には、巻真６がＡ１方向に引出され、該巻真６の回転が、つづみ車３７（図５）及び小鉄車３８（図５）を介し、更に、第一日修正中間車ないし第一カレンダ修正車３２、第二日修正中間車３３ａ、第三日修正中間車３３ｂ、第四日修正中間車３３ｃ及び日修正車３４を介して第一日車４０の第一日車歯車部４２に伝達され、巻真６の回転に応じて第一日車歯車部４２が例えばＣ２方向に回転されて日修正が行われる。
【００４０】
第一日車４０の第一日文字表示部としての第一日文字表示面部４３には、第一日文字４７をなす文字として、「１，２，３，４，５，６，７，８，９，０」の１０個の文字列が三回繰返された後、「１」が付され、全体として３１個の文字４７が、周方向に等間隔に付されている。第一日文字表示面部４３の第一日文字４７は、該文字４７が、時計２の１２時の位置の近傍に達したとき、図６及び図１からわかるように、文字板５の日窓４の右半分の領域４ｂ内において、一の位の日付を表示する。
【００４１】
例えば、図６の断面図からわかるように、第一日車４０のうち第一日車歯車部４２は、第一日文字表示面部４３よりも裏蓋に近い側に位置する。第一日車４０は、概ね環状の第一日車歯車部４２において、地板１６に取付けられた第一日車押え４９により軽く押えられている。
【００４２】
腕時計用歯車機構８を構成する第二歯車としての第二日車７は、大径板状部としての第二日板５０と、第二歯車本体部としての日表示車６０と、第二歯車歯部としての作動歯車７０と、弾性手段を構成する板ばねとしての加圧ばね８０とを有する。第二日車７は、第二の回転中心軸線としての中心軸線Ｃのまわりで回転可能である。ここで、第一及び第二の回転中心軸線は、共通の中心軸線Ｃからなる。第二日車７は、文字板５の背後において筒車（時車）１１の筒部に嵌合された第二日車押え７ａにより軽く押えられている。
【００４３】
第二歯車本体部としての日表示車６０は、基盤としての地板１６から文字板５の側に突出した時車１１の大径筒部（図示せず）に回転自在に嵌合されている。日表示車６０は、周面において径方向に凹んだ凹部６２を有し、該凹部６２の底部には、小径円弧状部６１が形成されている。小径円弧状部６１は、回転中心軸線Ｃの近傍に位置する。小径円弧状部６１は、この例では、中央の直線状部６１ａと、両側の円弧状部６１ｂ，６１ｃとを有する。中央の直線状部６１ａには、ばね止めピン部６３ａが形成され、両側の円弧状部６１ｂ，６１ｃには、ばね案内ピン部６３ｂ，６３ｃが形成されている。
【００４４】
大径板状部としての第二日板５０は、日表示車６０よりもはるかに大径で概ね扇形の板状体５１（図１）からなり、日表示車６０の文字板側、即ち日表示車６０のうち地板１６に対面する側とは反対側においてカシメ部の如き固定部６６により日表示車６０に固定されている。
【００４５】
第二日板５０の扇形の板状体５１の外周縁近傍には第二日文字表示面部５２が形成されている。
【００４６】
第二日文字表示部ないし第二日文字表示面部５２は、周方向間隙５３を介して突出した四つの概ね台形の表示面部５２ａ，５２ｂ，５２ｃ，５２ｄを有し、各第二日文字表示面部５２ａ，５２ｂ，５２ｃ，５２ｄには、第二日文字５４として、「０，１，２，３」の文字が付されている。第二日文字表示面部５２の第二日文字５４は、該文字５４が、時計２の１２時の位置の近傍に達したとき、図７や図１からわかるように、文字板５の日窓４の左半分の領域４ａ内において、十の位の日付を表示する。
【００４７】
第二日板部５０を構成する扇形の板状体５１は、より詳しくは、中心部の近傍に小さい扇形の板状部すなわち小扇形板状部５５を該板状体５１の延在方向の突出部として備え、また、作動歯車部７０に重なる領域に周方向に間隔をおいて、被係合部としての径方向延在長穴５６（図１及び図を有する。この例では、長穴５６は、七つの長穴５６ａ，５６ｂ，５６ｃ，５６ｄ，５６ｅ，５６ｆ，５６ｇからなる。長穴５６の位置や数は異なっていてもよい。
【００４８】
第二歯車歯部としての作動歯車部７０は、概ね円弧状の板状体７１からなり、第二日板５０と地板１６との間で且つ日表示車６０の凹部６２内で小径円弧状部６１の外周側に配置されている。
【００４９】
より詳しくは、エンジニアリングプラスチックの成形品からなる作動歯車部７０は、板状体７１の円弧の外周面７１ａに、後述する駆動カムレバー９０の扇形歯車部９５の歯９６に噛合する複数の歯７２を備え、且つ隣接する歯７２，７２の間の谷部７３に対面する位置に係合部としての度決めピン７４を有する。この度決めピン７４は、図６や図４からわかるように、夫々、第二日板部５０の長穴５６に遊嵌され、該長穴５６に沿って径方向Ｅ１，Ｅ２に変位可能である。この例では、歯７２，７２間の谷部７３及び度決めピン７４は、夫々、長穴５６に対応して七つある。但し、より多くても少なくてもよい。長穴５６での度決めピン７４の可動長は例えば５０μｍ程度である。
【００５０】
作動歯車部７０は、更に、板状体７１の内部に概ね円弧状の開口部ないし切欠き部７５を有する。より詳しくは、開口部７５は、円弧状開口本体部７５ａと、歯７２に対応する部位において該円弧状開口本体部７５ａから径方向外向きに突出した径方向開口部７５ｂとを有する。従って、作動歯車部７０の開口部７５を取囲む板状体７１の本体部７６は、該開口部７５の形状が歪むように弾性変形可能である。変形の形状や程度は、所望に応じて選択可能である。
【００５１】
全体として弧状の板ばねとしての加圧ばね８０は、地板１６と第二日板５０との間において、日表示車６０の凹部６２の円弧状部６１と作動歯車部７０の円弧の内周面部７０ｂとの間に配置されて、作動歯車部７０を径方向外向きＥ１に押す。
【００５２】
より詳しくは、全体として概ね弧状の加圧ばね８０は、中央の直線状（平板状）部８１と、両側の円弧状部８２，８３とを有し、中央の直線状部８１で、日表示車部６０の凹部６２の底部の中央の直線状部６１ａのばね止めピン部６３ａに係止され、ばね案内ピン部６３ｂ，６３ｃによって径方向Ｅ１，Ｅ２に案内される両側の円弧状部８２，８３で、作動歯車部７０の板状体７１の円弧の内周面７０ｂを径方向外向きＥ１に押す。ばね案内ピン部６３ｂ，６３ｃは、加圧ばね８０の円弧状部８２，８３が軸線Ｃの延在方向（時計２の厚さ方向）に位置ずれするのを禁止している。
【００５３】
従って、作動歯車部７０は、地板１６と第二日板５０との間において、径方向外向きＥ１に変位される。作動歯車部７０のこの径方向外向きＥ１の変位は、第二日板５０の長穴５６に遊嵌された度決めピン７４によって案内される。なお、複数の度決めピン７４のうちの一部の度決めピン７４が対応する長穴５６内で採る位置の差異によって作動歯車部７０の本体部７６の弾性変形が許容ないし吸収され得る。なお、作動歯車部７０の第二日板５０に対する径方向外向きＥ１の変位は、度決めピン７４が長穴５６の径方向外側端部に当接するまで許容される。
【００５４】
第二日車７は、通常運針時には、十の位の日付が「０→１」、「１→２」又は「２→３」と変る毎に作動歯車部７０において時計回り回転駆動を受けてＣ２方向に回動され、十の位の日付が「３→０」変る際には作動歯車部７０において反時計回りの回転駆動を受けてＣ１方向に回動され、文字板５の日窓４の左半分の領域４ａにおいて、十の位の日付を表示する。
【００５５】
なお、ここでは、第二日板５０が被係合部としての長穴５６を有し、作動歯車部７０が係合部となるピン状突起部としての度決めピン７４を有する例について説明しているけれども、その代わり、作動歯車部７０が長穴を有し第二日板５０が該長穴に遊嵌される度決めピンを有していてもよい。
【００５６】
駆動カムレバー９０は、従動レバー部９１と、作動レバー部９２と、ばねトルク受部９３とを一体的に有し、地板１６の突起部１６ａに中心軸線ＢのまわりでＢ１，Ｂ２方向に回転自在に穴部９０ａで嵌合されている。
【００５７】
従動レバー部９１は、穴部９０ａの近傍から延在した先端部にカム従節となる当接突起部９４を備え、該当接突起部９４で第二日車７の駆動カム部４４ないし該駆動カム部４４を構成するカム円弧部４４ａ，４４ｂ，４４ｃ又は４４ｄに当接している。作動レバー部９２は、穴部９０ａの近傍から従動レバー部９１に対して交差する向きに延在した先端部に扇形歯車部９５を備え、腕時計用歯車機構８を構成する第一歯車としての該扇形歯車部９５において第二歯車としての第二日車７の作動歯車部７０に噛合している。
【００５８】
第一日車４０のＣ２方向回転に伴う従動レバー部９１の間欠的なＢ２方向回動に応じて作動レバー部９２が第一日車４０の駆動カム部４４のカム面４４ａ，４４ｂ，４４ｃ，４４ｄに当接して間欠的にＢ２方向に回動され、該作動レバー部９２の間欠的なＢ２方向回動に応じて第二日車７の作動歯車部７０が間欠的にＣ２方向に回動される。
【００５９】
駆動カムレバー９０のばねトルク受部９３には、地板１６に取付けられた板ばねの形態の駆動カムレバーばね９７がばね力を及ぼしている。即ち、駆動カムレバー９０は、駆動カムレバーばね９７によって中心軸線ＢのまわりでＢ１方向の偏倚力を受け、駆動カムレバー９０の従動レバー部９１の当接突起部９４が第一日車４０の駆動カム部４４に常時押付けられている。従って、駆動カムレバーばね９７は、駆動カムレバー９０の扇形歯車部９５と第二日車７の作動歯車部７０との噛合いの周方向のガタを最低限に抑える。
【００６０】
なお、駆動カムレバー９０に対して駆動カムレバーばね９７から一方向への回転偏倚力が与えられる限り、駆動カムレバーばね９７を駆動カムレバー９０に直接係合させる代わりに別の部材に係合させ、該別の部材を直接的又は間接的に駆動カムレバー９０に固定してもよい。その場合、各部材の形状や配置は変更され得る。
【００６１】
以上において、腕時計用歯車機構８は、駆動カムレバー９０の扇形歯車部９５と、第二日車７とからなる。
【００６２】
以上の如く構成されたアナログ式時計２のカレンダ機構１では、第二日車７の作動歯車部７０が加圧ばね８０によって径方向外向きＥ１に弾性的に偏倚されるから、第二日車７の作動歯車部７０が駆動カムレバー９０の扇形歯車部９５に近接せしめられて、両歯車部７０，９５間の確実な噛合いが確保され得る。
【００６３】
なお、作動歯車部７０のこの径方向外向きＥ１の変位は、第二日板５０の長穴５６に遊嵌された度決めピン７４によって案内され、作動歯車部７０の第二日板５０に対する径方向外向きＥ１の変位は、度決めピン７４が長穴５６の径方向外側端部５６ｘｅに当接する位置を限度として規制されるので、加圧ばね８０による加圧力が両歯車部７０，９５間に過度に強く働いて両歯車部７０，９１の回転が阻害されるのを、避け得る。即ち、第二日車７の作動歯車部７０と駆動カムレバー９０の扇形歯車部９５との噛合いを、単に両歯車部の回転中心Ｂ，Ｃ間の距離によって規定するのではなく、該噛合い部に近接して位置する第二日板５０の長穴５６の端部位置によって規定するので、両歯車部７０，９５間の噛合いをより高確度に規定し得る。
【００６４】
更に、このカレンダ機構１では、作動歯車部７０は、開口部７５を備えた弾性変形可能な本体部７６からなるので、作動歯車部７０の一つの歯７２が扇形歯車部９５の一つの歯９６と噛合った状態でトルクを受けた場合に、弾性変形する本体部７６が隙間を最低限にするように変形され得るので、ガタを最低限に抑え得る。その結果、図４及び図８の（ａ）に示したように、径方向及び周方向の両方において、作動歯車７０が当初状態Ｑｉから変形状態Ｑｆに変形されて無駄な隙間が最低限に抑えられ得るから、駆動カムレバー９０の扇形歯車部９１と作動歯車部７０との間のバックラッシュが最低限に抑えられて、第二日車７が位置決めされ得る。すなわち、作動歯車部７０の本体部７１が弾性変形されることにより、一方では、作動歯車部７０と駆動カムレバー９０の歯車部９５との噛合の周方向の隙間を最低限に抑えることが可能になるだけでなく、作動歯車部７０を構成する円弧状本体部７１の円弧の曲率半径を変更し得る。なお、弧状の加圧ばね８０は、中央の直線状部８１で、日表示車部６０の凹部６２の底部の中央の直線状部６１ａのばね止めピン部６３ａに係止され、両側の円弧状部８２，８３で作動歯車部７０の板状体７１の円弧の内周面７０ａを径方向外向きに押すので、作動歯車部７０を構成する本体部７１を径方向外向きＥ１に押すだけでなく、該本体部７１に対してその曲率半径を大きくして作動歯車部７０と駆動カムレバー９０の歯車部９５との噛合いを促す働きをする。
【００６５】
なお、作動歯車部７０の本体部７１では、本体部７１の開口部７５が複数の歯７２，７２，・・・，７２の背後の全域に渡って拡がっているので、作動歯車部７０の本体部７１の開口部７５を取囲む枠部７６がある程度太めに形成されていても作動歯車部７０の本体部７１ないしその枠部７６が比較的変形され易く、隙間が残っていれば該隙間を埋めるように（その結果、バックラッシュを低減させるように）変形され易い。反面、そのままでは、該変形が過度になって歯７２が周方向に過度に逃げる虞れがあるけれども、弧の歯車機構８では、歯７２，７２間の各歯みぞ７３に径方向に対面する位置にある度決めピン７４が第二日板５０の径方向延在長穴５６に嵌って該度決めピン７４のある部位の周方向相対変位が規制されているので、歯７２の周方向の過度の変形は実際上禁止され得る（多少の変形は、周方向に隣接する度決めピン７４，７４が径方向にずれる位置の多少の際によって許容される）。従って、この歯車機構８では、開口部７５が一つながりに形成され得るので、その製造ないし成形が容易に行われ得る。
【００６６】
従って、図８の（ｂ）において示したように、第二日車７が正規の位置ＰＡ０からＣ１方向又はＣ２方向に位置ずれした状態ＰＡ１，ＰＡ２で停止される場合とは異なり、図８の（ａ）に示したように、第二日車７がＣ１，Ｃ２方向の適切な位置Ｐ０に正確に位置決めされ得、適切な日表示が行われ得、第二日車７の回転位置がばらついて第二日文字が所望の表示位置からずれるのを最低限に抑え得る。
【符号の説明】
【００６７】
１  カレンダ機構
２  アナログ式時計
３  ムーブメント
４  日窓
４ａ  左半分の領域
５  文字板
６  巻真
７  第二日車（第二歯車）
７ａ  第二日車押え
８  腕時計用歯車機構
１１  時車
１１ｄ  時針
１２  分車
１２ｄ  分針
１３  秒車
１３ｄ  秒針
１４  輪列
１４ａ  日の裏車
１４ｂ  三番車
１４ｃ  五番車
１６  地板
１６ａ  突起部
１７  輪列受
１８  規制レバー
２１  電池
２２  水晶缶
２３  回路ブロック
２３ａ  時計用集積回路
２４  モータ
２４ａ  ステータ
２４ｂ  コイルブロック
２４ｃ  ロータ
２６  電池マイナス端子
２７  回路押え板
３１  日回し車
３１ａ  日回し歯車
３１ｂ  日回し爪
３２  第一日修正車（第一カレンダ修正車）
３３ａ  第二日修正中間車
３３ｂ  第三日修正中間車
３３ｃ  第四日修正中間車
３４  日修正車
３６  日ジャンパ
３６ａ  躍制爪部
３７  つづみ車
３８  小鉄車
４０  第一日車
４１  環状体
４２  第一日車歯車部
４２ａ  歯部
４３  第一日文字表示面部（第一日文字表示部）
４４  駆動カム部
４４ａ  第一カム円弧部（カム面）
４４ｂ  第二カム円弧部（カム面）
４４ｃ  第三カム円弧部（カム面）
４４ｄ  第四カム円弧部（カム面）
４５ａ，４５ｂ，４５ｃ  遷移領域
４６  段差面
４７  第一日文字
４９  第一日車押え
５０  第二日板部（大径板状部）
５１  板状体
５２  第二日文字表示面部（第二日文字表示部）
５２ａ，５２ｂ，５２ｃ，５２ｄ  表示面部
５３  周方向間隙
５４  第二日文字
５５  小扇形板状部
５６，５６ａ，５６ｂ，５６ｃ，５６ｄ，５６ｅ，５６ｆ，５６ｇ  径方向延在長穴
６０  日表示車部（第二歯車本体部）
６１  小径円弧状部
６１ａ  中央の直線状部
６１ｂ，６１ｃ  両側の円弧状部
６２  凹部
６３ａ  ばね止めピン部
６３ｂ，６３ｃ  ばね案内ピン部
６６  固定部（カシメ部）
７０  作動歯車部（第二歯車歯部）
７１  概ね円弧状の板状体
７１ａ  円弧の外周面部
７１ｂ  円弧の内周面部
７２  歯
７３  谷部
７４  度決めピン
７５  開口部（切欠部）
７５ａ  円弧状開口本体部
７５ｂ  径方向開口部
７６  （板状体の）本体部
８０  加圧ばね部（弾性手段）
８１  中央の直線状（平板状）部
８２，８３  両側の円弧状部
９０  駆動カムレバー
９０ａ  穴部
９１  従動レバー部
９２  作動レバー部
９３  ばねトルク受部
９４  当接突起部（カム従節部）
９５  扇形歯車部（第一歯車）
９６  扇形に並んだ歯部
９７  駆動カムレバーばね
Ａ１，Ａ２  出入方向
Ｂ１，Ｂ２  回転方向
Ｂ，Ｃ  中心軸線
Ｃ１，Ｃ２  回転方向
Ｅ１  径方向外向き
Ｐ０  正規の位置
Ｑｉ  作動歯車の当初（変形前）の状態
Ｑｆ  作動歯車の変係後（動作時）の状態
【図１】
2011064598.tif 000003
【図２】
2011064598.tif 000004
【図３】
2011064598.tif 000005
【図４】
2011064598.tif 000006
【図５】
2011064598.tif 000007
【図６】
2011064598.tif 000008
【図７】
2011064598.tif 000009
【図８】
2011064598.tif 000010